(57)【要約】      （修正有）【課題】試験方法の種類や容量などを一目で判別できるヘリウムリークデテクタ用銘板を提供する。【解決手段】銘板ＩＰＳの表面にヘリウムのリーク状態を示す図形を付記する。図形はヘリウムの分子数４を象徴する４本のストライプＳＴ１〜ＳＴ４で構成される。このストライプＳＴ１〜ＳＴ４の本数でヘリウムの利用によるリークデテクタであることが判別できる。しかも、ヘリウムリークデテクタ用銘板ＩＰＳは、図形の主体となるストライプＳＴ１〜ＳＴ４が、ヘリウム分子の陽子と中性子がリークする状態をあらわすものとして一定の幅で表記されている。したがって、リークデテクタの機種の判別が容易となるし、デザインとしての美観が向上する。【選択図】図１
0003120770.tif 000002
【実用新案登録請求の範囲】
【請求項１】
表面にヘリウムのリーク状態を示す図形が付記されていることを特徴とするヘリウムリークデテクタ用銘板。
【請求項２】
図形がヘリウムの分子数４を象徴する４本のストライプで構成されていることを特徴とする請求項１記載のヘリウムリークデテクタ用銘板。
【請求項３】
ストライプはヘリウム分子の陽子と中性子がリークする状態をあらわすものとして一定の幅であることを特徴とする請求項２記載のヘリウムリークデテクタ用銘板。
【請求項４】
請求項１ないし請求項３記載のヘリウムリークデテクタ用銘板を筐体に供えたことを特徴とするヘリウムリークデテクタ。
【考案の詳細な説明】
【技術分野】
【０００１】
本考案は、ヘリウムガスを用いて被試験体たとえば小型部品では水晶振動子などのパッケージあるいは比較的大きな部品では魔法瓶などに小さい孔（ホール）が存在するか否かをヘリウムガスのリークの有無にて試験、検査するヘリウムリークデテクタに付設する銘板に関する。
【背景技術】
【０００２】
従来、水晶振動子などのパッケージについてはその製品に小さい孔などの欠陥が存在するか否かで製品の価値が大きく変わることからその検査が行われる。この検査は昔では原始的には目視により行われていたが、量が多い場合は労力が大きく検査が困難である。また孔が極小の場合はその有無の検査ミスが発生しやすい。このようなことから、現在ではヘリウムガスを利用してリークすなわち小孔の存在による漏れを検出することによりリークを試験する方法が採用されている（特許文献１参照）。
【０００３】
この場合、ヘリウムガスが利用される理由は、ヘリウムが不活性ガスであって反応性が低く安全であること、取り扱いが容易であること、そして安価で経済性が良いことなどの事情とともに、質量分析計（分析管）にて検出できるリークの有無を正確に検査できるからである。
ヘリウムによる漏れ検査すなわちリーク検査は被検体の種類等によりつぎの２つのリークテスト法が常用されている。
【０００４】
第１のリークテスト法は前述した水晶振動子などのように小型部品のリークテスト法で、このリークテスト法では被試験体内にヘリウムガスを浸漬させる方法である。すなわち、この方法では浸漬工程では被試験体に小孔が存在していればヘリウムガスがその内方に侵入し浸漬されることになる。この状態から次工程でこの被試験体を試験室に入れて真空排気する。この真空排気系にはヘリウムガスを検知できる質量分析計（分析管）が接続されており、したがって小孔が存在して内方にヘリウムガスが浸漬された被試験体については、真空排気によって内方のヘリウムガスが試験室に漏れ出し、真空排気系を介して分析管にて検知される。
【０００５】
このリークテスト法を実施するヘリウムリークデテクタＨＤＳは図７に示すとおりである。機台１上には２個の筐体２、３が架設されている。筐体２には真空室を形成する試験室（図示せず）が内設され、筐体３には前記試験室に接続された真空排気系と、この真空排気系に接続された分析管（共に図示せず）が内設されている。４は前記試験室の上部開口を開閉するための蓋である。５は検知の結果の表示を行う表示部である。
以上の構成において、ヘリウムガスの浸漬作業を終えた水晶振動子Ｓが蓋４を開いて試料室に収容される。その後は蓋４で閉塞され真空排気が行われる。水晶振動子Ｓに小孔が存在しヘリウムガスが浸漬されていれば、そのヘリウムガスはその小孔から漏出し、分析管にて検知されることになって表示部５に表示される。
【０００６】
第２のリークテスト法は、比較的大型の被試験体たとえば魔法瓶などにおける孔の存在を試験する方法で、試験するに際して、リークデテクタの試験室に導管を介して被試験体の内方空間と接続する。そして被試験体の周囲にヘリウムガスを噴射器で吹き付ける。この吹き付けによって孔が存在すればヘリウムガスが被試験体の内方に流入し、この流入したヘリウムガスがリークデテクタに内設された真空排気系にて排気され分析管にて検知される方法である。
【０００７】
第２のリークテスト法を実施するヘリウムリークデテクタＨＤＬが図８に示される。図８において図７に示す符号と同一の符号で示される部品は図７と同一または同様の機能を有する部品を示しており、詳細な説明は省略するが、６は試験室に被試験体である魔法瓶７を接続する導管であり、８はヘリウムガスボンベ９からのヘリウムガスを魔法瓶７に噴射する噴射器である。４Ｃは導管６を試験室に接続する接続具である。なお、図７、図８に示すヘリウムリークデテクタＨＤＳ、ＨＤＬの上部に設置された表示部５は試験条件等の設定を行うための操作が行われる。
このようなヘリウムリークデテクタＨＤＳ、ＨＤＬは図７、図８から明らかなように全体の概観は普通一般に見受けられる矩形体である。
【特許文献１】特開２００５−０２４４４９号公報
【考案の開示】
【考案が解決しようとする課題】
【０００８】
この種試験機器としては、通常その機能を表記する製品名たとえば「ヘリウムリークデテクタ」という名称を筐体のどこかに表記する。たとえば銘板を介して表記している。しかしながら、その機器が試験方法の種類や容量などの関係で複数種ある場合、○○形とか○○方式という区別用の表記が必要となる。それでもそれらの表記ではもう一つ判別がつきにくい場合がある。そのために銘板に詳しく表記する例もあるが、使い易さとか試験ミスのないように試験を保証することと合わせて、一目で判別できることが求められている状況からみれば適切ではない。本考案はこのような課題を解決するヘリウムリークデテクタ用銘板を提供することを目的とするものである。
【課題を解決するための手段】
【０００９】
本考案が提供するヘリウムリークデテクタ用銘板は、上記課題を解決するために、銘板の表面にヘリウムのリーク状態を示す図形を付記したものである。この表記によってヘリウムの利用によるリークデテクタであり、かつリークテスト方法の判別にも有効である。
本考案が提供する考案に関連してさらにヘリウムリークデテクタ用銘板は、図形がヘリウムの分子数４を象徴する４本のストライプで構成されていることを特徴とするものである。このストライプの本数でヘリウムの利用によるリークデテクタであることが判別できる。
本考案が提供する考案に関連してさらにヘリウムリークデテクタ用銘板は、図形の主体となるストライプが、ヘリウム分子の陽子と中性子がリークする状態をあらわすものとして一定の幅で表記されているものである。したがって、リークデテクタの機種の判別情報を提供する。また、ヘリウムリークデテクタのデザイン上の美観が向上する。
【考案の効果】
【００１０】
本考案が提供するヘリウムリークデテクタ用銘板は以上詳述したとおりであるから、リークデテクタに付設された銘板の図形を観察するだけで、ヘリウムの利用によるリークデテクタであること、リークデテクタの機能や機種の判別が容易にできることなどの利点がある。さらに銘板には図形のみの表記であり、一目して判別できること、銘板の製作が容易であること、そしてさらにこの銘板の図形がリークデテクタ全体のポイントマークとしても機能し、製品の意匠すなわち美的処理を施すことにもなり、美観が向上する。
【考案を実施するための最良の形態】
【００１１】
銘板はリークデテクタが矩形体を主体とする場合は正方形、長方形などの形のものが装置全体の形としてバランスのとれたものとなる。この銘板に表記される図形としてのストライプはヘリウムガスを利用していることを判別できるようにヘリウムガスのリーク状態を想起する形状にすることが主要な要件となる。ヘリウムの分子数も考慮し４本とすることも必須事項となる。
【実施例１】
【００１２】
第１の実施例は小型部品、容器等のリークテストを行うヘリウムリークデテクタに付設する銘板で、その概要は図１、図２に示されている。
図１は銘板ＩＰＳを各方向から見た図で（Ａ）は正面図、（Ｂ）は左側面図、（Ｃ）は右側面図、（Ｄ）は平面図、そして（Ｅ）は底面図を示している。なお、図２は背面図を示している。
本考案の特徴とするところは、図１（Ａ）に示す正面図の表面に特定の図形が表記されている点である。図１（Ａ）に示すとおり、銘板ＩＰＳの表面にはストライプ（縞、筋）ＳＴ１〜ＳＴ４が表記されている。このストライプＳＴ１〜ＳＴ４が４本になっているのはヘリウムの分子数４（陽子２個と中性子２個）を象徴的にあらわすためである。
【００１３】
しかもこれら各ストライプＳＴ１〜ＳＴ４の太さはヘリウム分子の陽子と中性子がリークして流出してくる状態（軌跡）をトレースしたもので幅が同一である。したがってこの銘板ＩＰＳに表記された図形からこの銘板ＩＰＳが付設された機器がヘリウムリークに関する機器すなわちヘリウムリークデテクタに関するものであることが理解できる。さらに図形を構成するストライプＳＴ１〜ＳＴ４の形状から小型部品用のヘリウムリークデテクタであることも判別できる。
図５はこの銘板ＩＰＳを付設したヘリウムリークデテクタＨＤ１を斜視的に示す図である。なお、この図５において図７に示す符号と同一の符号で示す部品は図７と同一の部品または同様の機能を有する部品であり、詳細な説明は省略する。
【実施例２】
【００１４】
第２の実施例は魔法瓶など比較的大きな容器類のリークテストを行うヘリウムリークデテクタに付設する銘板で、その概要は図３、図４に示されている。
図３は銘板ＩＰＬを各方向から見た図で（Ａ）は正面図、（Ｂ）は左側面図、（Ｃ）は右側面図、（Ｄ）は平面図、そして（Ｅ）は底面図を示している。なお、図４は背面図を示している。
【００１５】
本考案の第２の実施例の特徴とするところは、図３（Ａ）に示す正面の表面に特定の図形が表記されている点である。図３（Ａ）に示すとおり、銘板ＩＰＬの表面にはストライプ（縞、筋）ＳＴ５〜ＳＴ８が表記されている。このストライプＳＴ５〜ＳＴ８が４本になっているのは第１の実施例と同様ヘリウムの分子数４（陽子２個と中性子２個）を象徴的にあらわすためである。しかもこれら各ストライプＳＴ５〜ＳＴ８の太さも第１の実施例と同様ヘリウム分子の陽子と中性子がリークして流出してくる状態（軌跡）をトレースしたものだからである。ただリークの仕方が実施例１とは異なる。したがってこの銘板ＩＰＬに表記された図形からこの銘板ＩＰＬが付設された機器がヘリウムリークに関する機器すなわちヘリウムリークデテクタに関するものであることが理解できる。さらに図形を構成するストライプＳＴ５〜ＳＴ８の形状から大型容器用のヘリウムリークデテクタであることも判別できる。
図６はこの銘板ＩＰＬを付設したヘリウムリークデテクタＨＤ２を斜視的に示す図である。なお、この図６において図８に示す同一の符号は図８と同一の部品または同様の機能を有するものであり、詳細な説明は省略する。
【００１６】
本考案が提供するヘリウムリークデテクタ用銘板の特徴は以上詳述したとおりであるが、図示例特に図１から図４に示す形状に限定されるものではない。たとえば図示例では正面からみた形が正方形であるが、長方形にすることも可能である。さらには矩形体のような常識となっている形を変えて、たとえば、円形や楕円形あるいは菱形、さらには多角形にすることも可能である。また特に本考案の要部であるヘリウムのリークを象徴するストライプの形状についても図示例に限定されるものではない。本数は４本が好ましいがこれに限定されない。また４本のストライプ図形を２個（複数個）表記する変形例も考えられるが、本考案はこれらすべての変形例を包含する。さらにヘリウムリークデテクタＨＤ１、ＨＤ２の構成、外観、形状についても、図示例には限定されない。
【図面の簡単な説明】
【００１７】
【図１】本考案による第１実施例のヘリウムリークデテクタ用銘板の形状を示す図である。
【図２】本考案による第１実施例のヘリウムリークデテクタ用銘板の背面を示す図である。
【図３】本考案による第２実施例のヘリウムリークデテクタ用銘板の形状を示す図である。
【図４】本考案による第２実施例のヘリウムリークデテクタ用銘板の背面を示す図である。
【図５】本考案による第１実施例のヘリウムリークデテクタ用銘板を付設したヘリウムリークデテクタ示す図である。
【図６】本考案による第２実施例のヘリウムリークデテクタ用銘板を付設したヘリウムリークデテクタ示す図である。
【図７】従来のヘリウムリークデテクタの外観を示す図である。
【図８】従来のヘリウムリークデテクタの外観を示す図である。
【符号の説明】
【００１８】
１  機台
２、３  筐体
４  蓋
４Ｃ  接続具
５  表示部
６  導管
７  魔法瓶
８  噴射器
９  ヘリウムガスボンベ
ＨＤＳ、ＨＤＬ、ＨＤ１、ＨＤ２  ヘリウムリークデテクタ
ＩＰＳ、ＩＰＬ  銘板
Ｓ  水晶振動子
ＳＴ１〜ＳＴ８  ストライプ
【図１】
0003120770.tif 000003
【図２】
0003120770.tif 000004
【図３】
0003120770.tif 000005
【図４】
0003120770.tif 000006
【図５】
0003120770.tif 000007
【図６】
0003120770.tif 000008
【図７】
0003120770.tif 000009
【図８】
0003120770.tif 000010